【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  １回だけ書き込み可能な光ディスクにおいて、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録する領域に記録しないことを特徴とする光ディスク。
【請求項２】  複数回書き込み可能な光ディスクにおいて、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録する領域に記録しないことを特徴とする光ディスク。
【請求項３】  ホストインターフェイスコマンドを受け付けるコマンド受付手段と、光ディスク上の所定の領域に記録済領域若しくは読み取り専用領域のデータに対応したトラック情報を記録するトラック情報記録手段と、を備え、
前記コマンド受付手段が前記記録済領域若しくは読み取り専用領域のデータに対応したトラック情報を記録することを要求するホストインターフェイスコマンドを受け付けた場合、該受け付けたホストインターフェイスコマンドに従って、前記トラック情報記録手段により前記請求項１に記載の光ディスク若しくは請求項２に記載の光ディスクの前記所定の領域に、前記記録済領域若しくは読み取り専用領域のデータに対応したトラック情報を記録することを特徴とする光ディスクドライブ装置。
【請求項４】  ホスト装置上で動作し、該ホスト装置に接続された光ディスクドライブ装置を制御するプログラムにおいて、前記請求項１に記載の光ディスク若しくは請求項２に記載の光ディスクに対して、記録済領域若しくは読み取り専用領域のデータに対応したトラック情報を記録することを要求するホストインターフェイスコマンドを、前記請求項３に記載の光ディスクドライブ装置に対して発行するコマンド発行手段を備えたことを特徴とするプログラム。
【手続補正２】
【補正対象書類名】明細書
【補正対象項目名】０００６
【補正方法】変更
【補正の内容】
【０００６】
【課題を解決するための手段】
本発明はかかる課題を解決するために、請求項１は、１回だけ書き込み可能な光ディスクにおいて、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録する領域に記録しないことを特徴とする。
Orange Bookの規格によると、ＣＤ−Ｒディスクは、最内周側にＰＣＡ（Power Calibration Area）、ＰＭＡ(Program Memory Area)と呼ばれる領域を持っており、それぞれ、ＰＣＡは書き込みレーザパワーの校正領域であり、ＰＭＡはProgram Area中に記録されたトラックの情報（開始アドレス、終了アドレス等）を記録する領域である。このＰＣＡ、ＰＭＡは共にＣＤ−ＲＯＭディスクには存在せず、ＣＤ−Ｒ特有のものである。従って、本発明では、ＣＤ−Ｒディスクをリード・イン領域、プログラム・エリア領域、リード・アウト領域が既にデータがプリレコードされた状態であるか、スタンプ（読み取り専用化）された状態であり、かつ、ＰＭＡ部および他の領域は全て、未記録状態にすることにより、ＣＤ−ＲＯＭと同じように読み出し専用の機能しか果すことができない。これにより、ＣＤ−Ｒ内のデータ改竄を防止することができる。かかる発明によれば、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録するＰＭＡ領域に記録しないことにより、ＣＤ−Ｒ内のデータ改竄を防止することができる。
【手続補正３】
【補正対象書類名】明細書
【補正対象項目名】０００７
【補正方法】変更
【補正の内容】
【０００７】
請求項２は、複数回書き込み可能な光ディスクにおいて、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録する領域に記録しないことを特徴とする。
かかる発明によれば、各セッション内のトラック情報を記録するリード・イン領域、各トラックのデータが順次記録されているプログラム・エリア領域、及び前記各セッションの終了を示すリード・アウト領域が記録済領域若しくは読取専用領域であり、且つ、前記記録済領域若しくは読み取り専用領域のデータに対応するトラック情報を前記プログラム・エリア領域に記録されたトラック情報を記録するＰＭＡ領域に記録しないことにより、ＣＤ−ＲＷ内のデータ改竄を防止することができる。
【手続補正４】
【補正対象書類名】明細書
【補正対象項目名】０００８
【補正方法】変更
【補正の内容】
【０００８】
請求項３は、ホストインターフェイスコマンドを受け付けるコマンド受付手段と、光ディスク上の所定の領域に記録済領域若しくは読み取り専用領域のデータに対応したトラック情報を記録するトラック情報記録手段と、を備え、前記コマンド受付手段が前記記録済領域若しくは読み取り専用領域のデータに対応したトラック情報を記録することを要求するホストインターフェイスコマンドを受け付けた場合、該受け付けたホストインターフェイスコマンドに従って、前記トラック情報記録手段により前記請求項１に記載の光ディスク若しくは請求項２に記載の光ディスクの前記所定の領域に、前記記録済領域若しくは読み取り専用領域のデータに対応したトラック情報を記録することを特徴とする。
ＣＤ−Ｒ／ＲＷドライブ装置は、ホスト装置とのインターフェイスとしてＡＴＡＰＩインターフェイス機能を備えており、ＡＴＡＰＩコマンドのＷｒｉｔｅＰＭＡコマンドを受け付ける。ＷｒｉｔｅＰＭＡコマンドは、パラメータとしてホスト装置よりＣＤＢと共に転送されるＷｒｉｔｅＰＭＡデータより構成される。ＷｒｉｔｅＰＭＡデータは、PMA data Lengthを含む最初の４バイトに引き続き、ＰＭＡを記録する対象のトラック数分のPMA Track Descriptorよりなる。PMA Track Descriptor内のＰＭｉｎ、ＰＳｅｃ、ＰＦｒａｍｅにはトラックの開始アドレスが、Ｍｉｎ、Ｓｅｃ、Ｆｒａｍｅにはトラックの終了アドレスがセットされる（他の詳細はOrange Book参照）。このＰＭＡコマンドを受け付けたＣＤ−Ｒ／ＲＷドライブは、ＷｒｉｔｅＰＭＡデータに従ってディスクのＰＭＡ領域にＰＭＡ情報を記録し、請求項１、２のようなＣＤ−Ｒ／ＲＷディスクを追記可能な状態にする。
かかる発明によれば、前記コマンド受付手段が前記記録済領域若しくは読み取り専用領域のデータに対応したトラック情報を記録することを要求するホストインターフェイスコマンドを受け付けた場合、該受け付けたホストインターフェイスコマンドに従って、前記ＰＭＡ記録手段により前記請求項１に記載のＣＤ−Ｒディスク若しくは請求項２に記載のＣＤ−ＲＷディスクのＰＭＡ領域に、前記記録済領域若しくは読み取り専用領域のデータに対応したトラック情報を記録するので、ＣＤ−ＲＷディスクを読み取り専用ディスクから書き込み可能ディスクに変換することができる。
【手続補正５】
【補正対象書類名】明細書
【補正対象項目名】０００９
【補正方法】変更
【補正の内容】
【０００９】
請求項４は、ホスト装置上で動作し、該ホスト装置に接続された光ディスクドライブ装置を制御するプログラムにおいて、前記請求項１に記載の光ディスク若しくは請求項２に記載の光ディスクに対して、記録済領域若しくは読み取り専用領域のデータに対応したトラック情報を記録することを要求するホストインターフェイスコマンドを、前記請求項３に記載の光ディスクドライブ装置に対して発行するコマンド発行手段を備えたことを特徴とする。
本発明によるプログラムは、従来のＣＤ−Ｒ／ＲＷ書き込みソフトウェアと呼ばれるプログラムの構成と同様に、ＣＤ−Ｒ／ＲＷドライブ装置に対してＡＴＡＰＩコマンドを発行する手段を備えており、例えば、対象となるＣＤ−Ｒ／ＲＷディスクの発行元から入手され、この対象となるディスクに応じたWrite PMA dataをセットしてWrite PMAコマンドを発行する。
かかる発明によれば、前記請求項１に記載のＣＤ−Ｒディスク若しくは請求項２に記載のＣＤ−ＲＷディスクに対して、記録済領域若しくは読み取り専用領域のデータに対応したトラック情報を記録することを要求するホストインターフェイスコマンドを、前記請求項３に記載のＣＤ−Ｒ／ＲＷドライブ装置に対して発行するコマンド発行手段を備えているので、料金の支払等、ある条件を満たしたユーザーのみに読み取り専用扱いのディスクから書き込み可能ディスクに変換するサービスなどをユーザーに提供することができる。
【手続補正６】
【補正対象書類名】明細書
【補正対象項目名】００１０
【補正方法】変更
【補正の内容】
【００１０】 
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態のＣＤ−Ｒ／ＲＷドライブ装置のブロック図である。
この構成は、ＣＤ−ＲＯＭやＣＤ−Ｒディスク等の光ディスク１と、この光ディスク１を一定速度で回転させるスピンドルモータ２と、図示していないレーザダイオード（ＬＤ）、光学系（レンズ等）、フォーカスアクチュエータ（レーザ光の焦点がディスクに合うように、レンズの位置をディスクと垂直方向に動かす機構）、トラックアクチュエータ（レーザ光の焦点がトラックをトレースできるように、ディスクの半径方向（スレッジ方向）にレンズを動かす機構）、及び受光素子、ポジションセンサ等を内蔵した光ピックアップ部３と、前記スピンドルモータ２と光ピックアップ部３内のアクチュエータ等を駆動するモータドライバ４と、レーザの発光制御を司るレーザーコントロール回路９と、光ピックアップ部３で得られた再生信号を増幅し、イコライザ処理や２値化（デジタル化）するリードアンプ５と、エラー訂正コードの不可や、インターリーブ（並べ替え）が行われた後ＥＦＭ変調するＣＤエンコーダ１０と、ウォブル信号に含まれるＡＴＩＰと呼ばれる絶対時間情報を取り出したり、同期信号を生成するＡＴＩＰデコーダ８と、リードアンプ５から入力された信号をＥＦＭ復調するＣＤデコーダ７と、前記光ピックアップ３内の、フォーカスアクチュエータ、トラックアクチュエータ、シークモータを、受光素子、ポジションセンサから得られた信号をもとに、レーザースポットが目的の場所に位置するよう制御するサーボ手段６と、エラー訂正コードの不可や、インターリーブ（並べ替え）が行われた後ＥＦＭ変調するＣＤ−ＲＯＭエンコーダ１１と、データを一時的に記憶するバッファＲＡＭ１２と、ＥＦＭ復調されたデータをデインタリーブ（並べ替え直し）とエラー訂正の処理をするＣＤ−ＲＯＭデコーダ１４と、音楽データの場合、ＣＤデコーダ７から出てきたデータをアナログのオーディオ信号に変換するＤ／Ａコンバータ１６と、バッファＲＡＭ１２を制御するバッファマネージャ１３と、ＡＴＡＰＩやＳＣＳＩ等のインターフェイス１５と、本装置の制御プログラムを格納するＲＯＭ（Read Only Memory）１７と、装置全体の制御を司るＣＰＵ１８と、データを一時的に記憶するＲＡＭ１９から構成される。
【手続補正７】
【補正対象書類名】明細書
【補正対象項目名】００１２
【補正方法】変更
【補正の内容】
【００１２】
光ディスク１（ＣＤ−ＲＯＭやＣＤ−Ｒディスク等）は、スピンドルモータ２（Spindle Motor）により回転駆動される。
スピンドルモータ２はモータドライバ４（Motor Driver）とサーボ手段６（Servo）により一定速度になるように制御される。光ピックアップ部３（Pick Up）は、図示していないレーザダイオード（ＬＤ）、光学系（レンズ等）、フォーカスアクチュエータ、トラックアクチュエータ、及び受光素子、ポジションセンサ等を内蔵したもので、レーザ光を光ディスク１に照射する。また、光ピックアップ部３全体は、シークモータ（図示していない）によりスレッジ方向に移動可能である。
これらフォーカスアクチュエータ、トラックアクチュエータ、シークモータは受光素子、ポジションセンサから得られた信号をもとに、モータドライバ４とサーボ手段６によりレーザースポットが目的の場所に位置するよう制御される。
データ読み出しの場合、光ピックアップ部３で得られた再生信号は、リードアンプ５（Read Amp）で増幅され、イコライザ処理や２値化（デジタル化）された後、ＣＤデコーダ７（CD Decoder）に入力されＥＦＭ復調される。ＥＦＭはEight to Fourteen Modulationの略で、ディスクには、光学的に再生または記録しやすいように、８ｂｉｔデータを１４ｂｉｔのデータに変調したデータが書かれている。ＥＦＭ復調されたデータは、デインタリーブ（並べ替え直し）とエラー訂正の処理を受ける。
その後、このデータはバッファマネージャ１３（Buffer Manager）により、一旦バッファＲＡＭ１２（Buffer RAM）に蓄えられ、セクタデータとしてそろった段階で、ＡＴＡＰＩ／ＳＣＳＩインターフェイス１５（Ｉ／Ｆ）を介して、図示しないホストコンピュータに一気に送られる。
音楽データの場合、ＣＤデコーダ７から出てきたデータは、Ｄ／Ａコンバータ１６に入力され、アナログのオーディオ信号が取り出される。データ書き込み時は、ＡＴＡＰＩ／ＳＣＳＩインターフェイス１５を通しホストから送られてきたデータは、バッファマネージャ１３により、一旦バッファＲＡＭ１２に蓄えられ、ある程度データが貯まったところで書き込みを開始するが、その前にレーザースポットを、書き込み開始地点に位置させなければならない。この地点は、トラックの蛇行によりあらかじめ光ディスクに刻まれているウォブル信号により求められる。
ウォブル信号にはＡＴＩＰと呼ばれる絶対時間情報が含まれており、ＡＴＩＰデコーダ８によりこの情報が取り出せる。またＡＴＩＰデコーダ８が生成する同期信号は、ＣＤエンコーダ１０に入力され、正確な位置でのデータの書き出しを可能にしている。
バッファＲＡＭ１２のデータは、ＣＤ−ＲＯＭエンコーダ１４やＣＤエンコーダ１０でエラー訂正コードの不可や、インターリーブ（並べ替え）が行われた後ＥＦＭ変調され、レーザーコントロール回路９（Laser Controller）、光ピックアップ部３を介して、光ディスク１に記録される。